(57)【要約】【課題】携帯端末の使用者の認証を行う際、操作の手間を軽減すること。【解決手段】携帯端末２０の使用者を認証するためのユーザ認証用のキーワード及び当該携帯端末２０を特定するための携帯端末特定用のキーワードを記憶する記憶部１５と、ユーザ認証用のキーワードに対応するユーザ認証用の音声情報を取得し、当該取得したユーザ認証用の音声情報と記憶部１５から読み出したユーザ認証用のキーワードとを比較し、当該比較結果が一致した場合、携帯端末特定用のキーワード対応する携帯端末特定用の音声情報を取得し、当該取得した携帯端末特定用の音声情報と記憶部１５から読み出した携帯端末特定用のキーワードとを比較し、当該比較結果が一致した場合、携帯端末２０の使用者を認証する制御部ＣＰＵ１１と、を備える。【選択図】図１
2008250452.tif 000002
【特許請求の範囲】
【請求項１】
携帯端末の使用者を認証するための第１のキーワード及び当該携帯端末を特定するための第２のキーワードを記憶する記憶部と、
前記第１のキーワードに対応する第１の音声情報を取得し、当該取得した第１の音声情報と前記記憶部から読み出した第１のキーワードとを比較し、当該比較結果が一致した場合、前記第２のキーワードに対応する第２の音声情報を取得し、当該取得した第２の音声情報と前記記憶部から読み出した第２のキーワードとを比較し、当該比較結果が一致した場合、前記携帯端末の使用者を認証する制御部と、
を備える情報処理装置。
【請求項２】
前記制御部は、
前記第２の音声情報と前記第２のキーワードとの比較結果が一致した場合、前記携帯端末の位置を特定するための位置特定指示情報及び前記携帯端末の認証者以外による使用を制限するための悪用防止指示情報の少なくとも１つを含んだ音声指示情報を取得し、当該取得した音声指示情報に基づいて、前記携帯端末の位置を特定するための処理及び前記携帯端末の認証者以外による使用を制限するための処理の少なくとも１つを実行する請求項１に記載の情報処理装置。
【請求項３】
携帯端末の使用者を認証するための第１のキーワードに対応する第１の音声情報を取得し、当該取得した第１の音声情報と記憶部から読み出した第１のキーワードとを比較し、当該比較結果が一致した場合、携帯端末を特定するための第２のキーワードに対応する第２の音声情報を取得し、当該取得した第２の音声情報と記憶部から読み出した第２のキーワードとを比較し、当該比較結果が一致した場合、前記携帯端末の使用者を認証する制御工程を含む情報処理方法。
【請求項４】
コンピュータを
携帯端末の使用者を認証するための第１のキーワード及び当該携帯端末を特定するための第２のキーワードを記憶する記憶部、
前記第１のキーワードに対応する第１の音声情報を取得し、当該取得した第１の音声情報と前記記憶部から読み出した第１のキーワードとを比較し、当該比較結果が一致した場合、前記第２のキーワードに対応する第２の音声情報を取得し、当該取得した第２の音声情報と前記記憶部から読み出した第２のキーワードとを比較し、当該比較結果が一致した場合、前記携帯端末の使用者を認証する制御部、
として機能させるためのプログラム。
【発明の詳細な説明】
【技術分野】
【０００１】
本発明は、情報処理装置、情報処理方法、及びプログラムに関する。
【背景技術】
【０００２】
従来から、紛失した携帯電話の悪用を防ぐ技術が知られている。例えば、紛失した携帯電話が悪用されることを防止するために悪用防止モードを用いた技術が知られている。当該技術では、携帯電話を紛失した場合、ユーザは当該携帯電話へメールを送信する。当該メール本文に悪用防止モードへ移行させるキーワードが含まれていれば、携帯電話は表示機能や操作機能等が停止する（例えば、特許文献１参照）。
【特許文献１】特開２００４−１５９１２１号公報
【発明の開示】
【発明が解決しようとする課題】
【０００３】
しかしながら、上記の技術は、悪用防止モードを実行させるための入力操作が必要であった。すなわち、携帯電話を紛失した際、悪用防止モードを実行させるために、他人の携帯電話からメール文を入力する操作が必要であった。
【０００４】
また、ユーザＩＤやパスワードを用いて携帯端末のユーザ（使用者）の認証を行う際、入力操作により認証を行う場合がある。この場合、操作の手間を軽減する要請があった。
【０００５】
本発明の課題は、携帯端末の使用者の認証を行う際、操作の手間を軽減することである。
【課題を解決するための手段】
【０００６】
上記課題を解決するため、請求項１に記載の発明の情報処理装置は、
携帯端末の使用者を認証するための第１のキーワード及び当該携帯端末を特定するための第２のキーワードを記憶する記憶部と、
前記第１のキーワードに対応する第１の音声情報を取得し、当該取得した第１の音声情報と前記記憶部から読み出した第１のキーワードとを比較し、当該比較結果が一致した場合、前記第２のキーワードに対応する第２の音声情報を取得し、当該取得した第２の音声情報と前記記憶部から読み出した第２のキーワードとを比較し、当該比較結果が一致した場合、前記携帯端末の使用者を認証する制御部と、
を備える。
【０００７】
請求項２に記載の発明は、請求項１に記載の情報処理装置において、
前記制御部は、
前記第２の音声情報と前記第２のキーワードとの比較結果が一致した場合、前記携帯端末の位置を特定するための位置特定指示情報及び前記携帯端末の認証者以外による使用を制限するための悪用防止指示情報の少なくとも１つを含んだ音声指示情報を取得し、当該取得した音声指示情報に基づいて、前記携帯端末の位置を特定するための処理及び前記携帯端末の認証者以外による使用を制限するための処理の少なくとも１つを実行する。
【０００８】
請求項３に記載の発明の情報処理方法は、
携帯端末の使用者を認証するための第１のキーワードに対応する第１の音声情報を取得し、当該取得した第１の音声情報と記憶部から読み出した第１のキーワードとを比較し、当該比較結果が一致した場合、携帯端末を特定するための第２のキーワードに対応する第２の音声情報を取得し、当該取得した第２の音声情報と記憶部から読み出した第２のキーワードとを比較し、当該比較結果が一致した場合、前記携帯端末の使用者を認証する制御工程を含む。
【０００９】
請求項４に記載の発明のプログラムは、
コンピュータを
携帯端末の使用者を認証するための第１のキーワード及び当該携帯端末を特定するための第２のキーワードを記憶する記憶部、
前記第１のキーワードに対応する第１の音声情報を取得し、当該取得した第１の音声情報と前記記憶部から読み出した第１のキーワードとを比較し、当該比較結果が一致した場合、前記第２のキーワードに対応する第２の音声情報を取得し、当該取得した第２の音声情報と前記記憶部から読み出した第２のキーワードとを比較し、当該比較結果が一致した場合、前記携帯端末の使用者を認証する制御部、
として機能させるためのプログラム。
【発明の効果】
【００１０】
本発明によれば、携帯端末の使用者の認証を行う際、操作の手間を軽減することができる。
【発明を実施するための最良の形態】
【００１１】
以下、添付図面を参照して本発明に係る実施の形態を詳細に説明する。ただし、発明の範囲は、図示例に限定されない。
【００１２】
図１〜図４を参照して、本発明に係る実施の形態の一例を説明する。先ず、図１〜図３を参照して、本発明の実施の形態の装置構成例を説明する。図１に、本実施の形態の探索システム１を示す。図２にＰＣ１０の内部構成例を示す。図３に携帯端末２０の内部構成例を示す。
【００１３】
図１を参照して、本発明に係る情報処理装置を適用した探索システム１の概要を説明する。探索システム１は、携帯端末２０を紛失したユーザから音声情報をＰＣ１０に取得させ、ＰＣ１０により取得された音声情報に基づいて、携帯端末２０を動作させるシステムである。探索システム１の動作としては、先ず、携帯端末２０を紛失したユーザからＰＣ１０に対してユーザを認証するための命令（認証命令）が送られる。そして、ＰＣ１０により後述する音声認識処理が実行され、ユーザが携帯端末２０の正当なユーザであるか否かの確認が行われる。このとき、ＰＣ２０からユーザへ確認結果が送信される。ＰＣ１０により正当なユーザであるとの確認が得られた場合、携帯端末２０に動作命令（後述するワンコールモード等の動作命令）を送信する。そして、ユーザは紛失した携帯端末２０を発見することが可能となる。
【００１４】
次に探索システム１の各部の詳細を説明する。探索システム１は、情報処理装置としてのＰＣ１０と、携帯端末２０と、を備えて構成される。ＰＣ１０は、携帯端末２０のユーザのエージェント（代理）機能を有する装置である。図２に示すように、ＰＣ１０は、制御部としてのＣＰＵ（Central  Processing  Unit）１１と、入力部１２と、ＲＡＭ（Random  Access  Memory）１３と、表示部１４と、記憶部１５と、通信部１６と、音声入出力部１７と、を備えて構成され、各部がバス１８により接続されている。
【００１５】
ＣＰＵ１１は、ＰＣ１０の各部を中央制御する。ＣＰＵ１１は、記憶部１５に記憶されているシステムプログラム及び各種アプリケーションプログラムの中から指定されたプログラムをＲＡＭ１３に展開し、ＲＡＭ１３に展開されたプログラムとの協働で、各種処理を実行する。特に、記憶部１５には、後述する音声認識プログラムが記憶される。
【００１６】
ＣＰＵ１１は、後述する音声認識プログラムとの協働により、第１のキーワードとしてのユーザ認証用のキーワードに対応する第１の音声情報としてのユーザ認証用の音声情報を取得する。そして、当該取得したユーザ認証用の音声情報と記憶部１５から読み出したユーザ認証用のキーワードとを比較する。当該比較結果が一致した場合、第２のキーワードとしての携帯端末特定用のキーワードに対応する第２の音声情報としての携帯端末特定用の音声情報を取得する。そして、当該取得した携帯端末特定用の音声情報と記憶部１５から読み出した携帯端末特定用のキーワードとを比較する。そして、当該比較結果が一致した場合、携帯端末２０のユーザの認証を行う。
ここで、ユーザ認証用のキーワードとは、例えば、ユーザＩＤ及びパスワードのことをいう。携帯端末特定用のキーワードとは、例えば、携帯端末２０の端末ＩＤのことをいう。ユーザ認証用の音声情報、携帯端末特定用の音声情報については、後述する。
また、携帯端末２０のユーザの認証を行うとは、ユーザ認証用の音声情報及び携帯端末特定用の音声情報を通知したユーザが携帯端末２０の正当な使用者であると確認することをいう。
【００１７】
また、ＣＰＵ１１は、携帯端末特定用の音声情報と携帯端末特定用のキーワードとの比較結果が一致した場合、携帯端末２０の位置を特定するための位置特定情報指示情報及び携帯端末２０の悪用を防止するための悪用防止指示情報の少なくとも１つを含んだ音声指示情報を取得する。そして、当該取得した音声指示情報に基づいて、携帯端末２０の位置を特定するための処理及び前記携帯端末の悪用を防止するための処理の少なくとも１つを実行する。
ここで、音声指示情報とは、ユーザにより通知された音声情報のことをいい、位置特定指示情報及び悪用防止指示情報の少なくとも１つを含む。位置特定指示情報とは、携帯端末２０の現在位置を特定するための音声情報のことをいう。悪用防止指示情報とは、携帯端末２０の認証者以外による使用を制限するための音声情報のことをいう。
【００１８】
入力部１２は、カーソルキー、数字入力キー及び各種機能キーなどを備えたキーボードを含む構成とし、ユーザによりキーボードで押下された押下信号をＣＰＵ１１に出力する。また、入力部１２は、マウスなどのポインティングデバイスを含む構成としてもよい。
【００１９】
ＲＡＭ１３は、揮発性のメモリであり、実行される各種プログラムやこれら各種プログラムに係るデータ等を一時的に記憶するワークエリアを形成する。
【００２０】
表示部１４は、ＬＣＤ（Liquid Crystal Display）、ＣＲＴ（Cathode Ray Tube）等で構成され、ＣＰＵ１１からの表示信号に従って画面表示を行う。
【００２１】
記憶部１５は、ＨＤＤ（Hard Disk Drive）等により構成され、各種プログラム及び各種データを記憶する。また、記憶部１５は、ユーザ認証用のキーワード及び携帯端末特定用のキーワードを記憶する。
【００２２】
通信部１６は、モデム、ＴＡ（Terminal Adapter）、ルータ、ネットワークカード等により構成され、接続される通信ネットワーク（図示省略）上の携帯端末２０と情報を送受信する。
【００２３】
音声入出力部１７は、マイク、スピーカ、増幅器、Ａ／Ｄ変換部、及びＤ／Ａ変換部等を有し、マイクから入力されるユーザの音声信号をデジタル音声情報に変換し、その音声情報をＣＰＵ１１に出力する。また、ＣＰＵ１１から入力される音声情報や、操作確認音等の音声情報をアナログの音声信号に変換して増幅し、スピーカから出力する。
【００２４】
携帯端末２０は、ワンコールモードの動作、又は悪用防止モードの動作を行う。また、携帯端末２０は、ＩＰ電話（ＩＰ網（インターネット）を使った電話）の機能を備えている。さらに携帯端末２０は、ＧＰＳ（Global Positioning System）機能を備えている。
携帯端末２０は、図３に示すように制御部２１と、入力部２２と、記憶部２３と、表示部２４と、送受話部２５と、通信部２６と、ＧＰＳ部２７と、を備えて構成され、各部がバス２８により接続される。
【００２５】
制御部２１は、ＣＰＵ、ＲＡＭ、ＲＯＭ等により構成され、携帯端末２０の各部を中央制御する。制御部２１は、ＲＯＭに記憶されているシステムプログラム及び各種アプリケーションプログラムの中から指定されたプログラムをＲＡＭに展開し、ＲＡＭに展開されたプログラムとの協働で、各種処理を実行する。
【００２６】
入力部２２は、各種入力キー等を備え、ユーザからの各種情報の入力を各種入力キーから受け付け、その情報を制御部２１に出力する。記憶部２３は、フラッシュメモリ、ＲＯＭ（Read  Only  Memory）等により構成され、各種プログラム及び各種データを記憶する。表示部２４は、ＬＣＤ（Liquid Crystal Display）、ＥＬＤ（ElectroLuminescent Display）等を備え、制御部２１から入力される表示情報に基づいて画面表示を行う。
【００２７】
送受話部２５は、マイク、スピーカ、Ａ／Ｄ変換部、及びＤ／Ａ変換部を備え、マイクから入力されるユーザの送話音声をＡ／Ｄ変換処理して、その送話音声データを制御部２１に出力するとともに、制御部２１から入力される受話音声データや、着信音、操作確認音、シャッタ音等の音声データをＤ／Ａ変換処理して、スピーカから出力する。
【００２８】
通信部２６は、アンテナ２６１を介して通話（通信先）との間で無線通信を行う。ＧＰＳ部２７は、ＧＰＳ衛星からの電波信号を受信し、当該信号に基づいて位置、移動方向、速度を計算することによって、携帯端末２０の位置を測位して、その位置情報を取得する。
【００２９】
次に、図４を参照して、ＰＣ１０で実行される音声認証処理について説明する。音声認証処理は、ユーザから通知される音声情報にしたがって、携帯端末２０を使用するユーザを認証する処理である。
【００３０】
例えば、ＰＣ１０において、音声認証処理の実行指示が入力部１２を介して入力されたこと等をトリガとして、記憶部１５から読み出されて適宜ＲＡＭ１３に展開された音声認証プログラムと、ＣＰＵ１１との協働により音声認証処理が実行される。
【００３１】
予め、ユーザ認証用のキーワード及び携帯端末特定用のキーワードが記憶部１５に記憶されているものとする。また、ユーザが携帯端末２０を紛失しているものとする。また、ユーザは自宅に在宅しており、ユーザの自宅にあるＰＣ１０により音声認証処理が実行されるものとする。
【００３２】
先ず、音声入出力部１７を介してユーザ認証用の音声情報が入力される（ステップＳ１０１）。ユーザ認証用の音声情報とは、ユーザ認証用のキーワードに対応した情報である。すなわち、ユーザＩＤ及びパスワードの音声情報のことをいう。本ステップは、ユーザにより通知されたユーザＩＤ及びパスワードの音声情報が音声入出力部１７に入力されることにより実行される。そして、入力されたユーザ認証用の音声情報と、ユーザ認証用のキーワードとが一致するか否か（ユーザ認証用の音声情報の認証ＯＫか否か）が判別される（ステップＳ１０２）。ユーザ認証用の音声情報の認証がＯＫでないと判別された場合（ステップＳ１０２；ＮＯ）、ステップＳ１０１に移行される。
【００３３】
ユーザ認証用の音声情報の認証がＯＫであると判別された場合（ステップＳ１０２；ＹＥＳ）、音声入出力部１７を介して携帯端末特定用の音声情報が入力される（ステップＳ１０３）。携帯端末特定用の音声情報とは、携帯端末特定用のキーワードに対応した情報のことをいう。すなわち、端末ＩＤの音声情報のことをいう。本ステップは、ユーザにより通知された端末ＩＤの音声情報が音声入出力部１７に入力されることにより実行される。
【００３４】
そして、携帯端末特定用の音声情報と、携帯端末特定用のキーワードとが一致するか否か（携帯端末特定用の音声情報の認証ＯＫか否か）が判別される（ステップＳ１０４）。携帯端末特定用の音声情報の認証がＯＫでないと判別された場合（ステップＳ１０４；ＮＯ）、ステップＳ１０１に移行される。
【００３５】
携帯端末特定用の音声情報の認証がＯＫと判別された場合（ステップＳ１０４；ＹＥＳ）、ユーザは携帯端末２０の正当な使用者であると確認される。そして、音声入出力部１７を介して位置特定指示情報が取得されたか否かが判別される（ステップＳ１０５）。本ステップは、ユーザにより通知された位置特定指示情報が音声入出力部１７に入力されたか否かを判別することにより実行される。
【００３６】
ステップＳ１０５において、音声入出力部１７を介して位置特定指示情報が取得されたと判別された場合（ステップＳ１０５；ＹＥＳ）、携帯端末２０の現在位置が特定可能か否かが判別される（ステップＳ１０６）。本ステップは、例えば、記憶部１５に記憶されている携帯端末２０の現在位置情報ログを読み出すことにより実行される。ここで、現在位置情報ログの記憶部１５への記憶は、例えば、ＧＰＳ部２７により取得された位置情報を周期的に取得し、当該取得した位置情報を記憶部１５に記憶することにより行われる。また、携帯端末２０の現在位置の特定は、記憶部１５から読み出された現在位置情報ログと現在時刻との時間差に基づいて実行される。例えば、記憶部１５から読み出された現在位置情報ログと現在時刻の時間差が大きい場合は、携帯端末２０の現在位置は特定できないと判別される。
ステップＳ１０５において、位置特定指示情報が取得されたと判別されなかった場合（ステップＳ１０５；ＮＯ）、後述するステップＳ１１３に移行される。
【００３７】
ステップＳ１０６において、紛失した携帯端末の現在位置が特定可能であると判別された場合（Ｓ１０６；ＹＥＳ）、紛失した携帯端末の現在位置情報が自宅付近か否かが判別される（ステップＳ１０７）。紛失した携帯端末２０の現在位置情報が自宅付近であると判別された場合（ステップＳ１０７；ＹＥＳ）、携帯端末２０にワンコールモードの動作指示情報が送信される（ステップＳ１０８）。ワンコールモードとは、紛失した携帯端末２０を１回発呼することをいう。携帯端末２０は、ワンコールモードの動作指示情報を通信部２６により受信すると、当該受信したワンコールモードの動作指示に基づいて、受話部２５を１回発呼させる。携帯端末２０が発呼することにより、例えば、紛失した携帯端末２０がユーザの自宅にあった場合、発呼音により紛失した携帯端末を探し出すことができる。
【００３８】
ステップＳ１０７の実行後、記憶部１５に記憶された現在位置情報ログに基づいて、携帯端末２０の現在位置を示す地図データが生成され、当該生成された地図データが表示部１４に表示される（ステップＳ１０９）。このとき、表示部１４には、携帯端末２０の現在位置に近い建物等が表示される。
【００３９】
ステップＳ１０７において、紛失した携帯端末の現在位置情報が現在位置付近でないと判別された場合（ステップＳ１０７；ＮＯ）、ステップＳ１０９に移行される。
【００４０】
ステップＳ１０６において、紛失した携帯端末の現在位置が特定可能でないと判別された場合（ステップＳ１０６；ＮＯ）、現在位置情報のログが自宅と違う場所が続いているか否かが判別される（ステップＳ１１０）。現在位置情報ログが自宅と違う場所が続いていると判別された場合（ステップＳ１１０；ＹＥＳ）、「可能性ある現在位置情報を表示します」と表示部１４に表示される（ステップＳ１１１）。ステップＳ１１１の実行後、ステップＳ１０９に移行される。このとき、可能性ある現在位置情報ログ（自宅と違う場所を示すログ）に基づいて、携帯端末２０の現在位置を示す地図データが生成され、当該生成された地図データが表示部１４に表示される。
【００４１】
現在位置情報ログが自宅と違う場所が続いていないと判別された場合（ステップＳ１１０；ＮＯ）、時間指定の入力が受け付けられ、入力された時間に対応する現在位置情報ログが取得される（ステップＳ１１２）。時間指定の入力は、例えば、ユーザが携帯端末２０を紛失したと想定される時間が指定入力される。ステップＳ１１２の実行後、ステップＳ１０９に移行される。
【００４２】
ステップＳ１０９の実行後、音声入出力部１７を介して悪用防止指示情報が入力されたか否かが判別される（ステップＳ１１３）。携帯端末２０は、悪用防止指示情報を通信部２６により受信することにより、悪用防止モードを動作させる。悪用防止モードとは、例えば、長時間の通話の不可、携帯ＷＥＢ（World Wide Web）サービスの停止、アドレス帳の閲覧停止、公共緊急連絡先以外の番号への通話を不可とするモードのことをいう。本ステップは、ユーザにより発せられた悪用防止指示情報が音声入出力部１７に入力されることにより実行される。
【００４３】
悪用防止指示情報が入力されたと判別された場合（ステップＳ１１３；ＹＥＳ）、携帯端末２０へ悪用防止指示情報が送信される（ステップＳ１１４）。携帯端末２０は、悪用防止指示情報を通信部２６により受信した後、当該受信した悪用防止指示情報に基づいて悪用防止モードを動作させる。ステップＳ１１４の実行後、音声認証処理は終了する。
【００４４】
ステップＳ１１３において、悪用防止指示情報が入力されたと判別されなかった場合（ステップＳ１１３；ＮＯ）、音声認証処理は終了する。この場合、携帯端末２０へは悪用防止指示情報が送信されないので、携帯端末２０は、長時間の通話が可能となる。携帯端末２０の長時間の通話が可能となることにより、紛失した携帯端末２０の取得者とのコンタクトが可能となる。
【００４５】
なお、音声認識処理におけるステップＳ１０７及びステップＳ１０８（図の破線Ａ部分）を図５に示す動作としてもよい。すなわち、音声認識処理におけるステップＳ１０７の代わりに、携帯端末２０の現在位置情報が車の位置情報付近であるか否かを判別することとしてもよい（ステップＳ１０７Ａ）。このとき、車の位置情報とは、車が停車している時（停車時）の位置情報のことをいう。当該停車時の位置情報は、予め、ＰＣ２０の記憶部１５に記憶されている。
【００４６】
携帯端末２０の現在位置情報が車の位置情報付近であると判別された場合（ステップＳ１０７Ａ；ＹＥＳ）、「車内もしくはその周辺です」と表示部１４に表示される（ステップＳ１０８Ａ）。ステップＳ１０８Ａの実行後、図４のステップＳ１０９に移行される。また、携帯端末２０の現在位置情報が車の位置情報付近であると判別されなかった場合（ステップＳ１０７Ａ；ＮＯ）、図４のステップＳ１０９に移行される。
【００４７】
以上、本実施の形態によれば、ユーザ認証用の音声情報、及び携帯端末特定用の音声情報の認証が得られた場合、携帯端末２０のユーザを認証することができる。これにより、入力操作を行うことなく、携帯端末のユーザの認証を行うことができるので、携帯端末の使用者の認証を行う際の操作の手間を軽減することができる。
【００４８】
また、位置特定指示情報に基づいて、携帯端末２０の現在位置を表示部１４に表示することができる。これにより、ユーザは携帯端末２０の位置情報を特定（把握）することができる。また、携帯端末２０のワンコールモードの動作指示に基づいて、携帯端末２０をワンコールすることができる。これにより、ユーザは携帯端末２０の発呼音により携帯端末２０を探し出すことができる。また、携帯端末２０の現在位置情報が車の位置情報付近であれば、携帯端末２０を容易に探し出すことができる。
【００４９】
また、悪用防止指示情報に基づいて、悪用防止モードを動作させることができる。これにより、携帯端末２０が悪用されるのを防ぐことができる。
【００５０】
なお、上記実施の形態における記述は、本発明に係る情報処理装置、情報処理方法、及びプログラムの一例であり、これに限定されるものではない。
【００５１】
例えば、上記実施の形態では、ユーザが自宅に在宅しており、自宅のＰＣ１０で音声認証処理を実行することとしたが、ユーザが外出先から自宅のＰＣ１０に通話し、音声認証処理を実行することとしてもよい。この場合、音声情報（ユーザ認証用の音声情報、携帯端末特定用の音声情報、位置特定指示情報、及び悪用防止指示情報）は通信部１６を介して音声入出力部１７に入力されることとなる。
【００５２】
また、ユーザは、外出先から自宅のＰＣ１０に通話する際、例えば、他人の携帯端末、又は公衆電話から自宅のＰＣ１０に通話を行う場合がある。このとき、例えば、他人の携帯端末から通話を行う場合は、携帯端末２０の現在位置情報を他人の携帯端末の表示部（表示画面）に表示させることとしてもよい。また、公衆電話から通話を行う場合は、携帯端末２０の現在位置情報をＰＣ１０が音声によりユーザに通知することとしてもよい。
【００５３】
また、現在位置情報ログは記憶部１５に記憶されることとしたが、例えば、キャリア（携帯端末２０の通信サービス業者）に設置されているＰＣ（キャリアＰＣ）の記憶部に記憶されることとしてもよい。この場合、ＰＣ１０は、キャリアＰＣの記憶部から現在位置情報ログを取得することなる。
【００５４】
また、ＰＣ１０から携帯端末２０にワンコールモードの動作指示情報又は悪用防止指示情報を送信する際、キャリアＰＣを介してもよい。すなわち、ＰＣ１０からキャリアＰＣへワンコールモードの動作指示情報又は悪用防止指示情報を送信し、キャリアＰＣからワンコールモードの動作指示情報又は悪用防止指示情報を携帯端末２０に送信することとしてもよい。
【００５５】
また、ＰＣ１０は、ユーザの自宅のＰＣとしたが、例えば、通信サービス業者が有するサーバにおいて同様の機能を実現することとしてもよい。すなわち、キャリアＰＣが音声認証処理を実行することとしてもよい。この場合、ユーザはキャリアＰＣに音声認証処理を行う通話を行うことにより、音声認証処理を実行させることができる。
【００５６】
その他、上記実施の形態における探索システム１の細部構成及び詳細動作に関しても、本発明の趣旨を逸脱しない範囲で適宜変更可能である。
【図面の簡単な説明】
【００５７】
【図１】本発明に係る探索システム１の構成例を示した図である。
【図２】ＰＣ１０の内部構成例を示した図である。
【図３】携帯端末２０の内部構成例を示した図である。
【図４】音声認識処理のフローチャートを示した図である。
【図５】音声認識処理のフローチャートを示した図である。
【符号の説明】
【００５８】
１  探索システム
１０   ＰＣ
１１   ＣＰＵ
１２，２２    入力部
１３   ＲＡＭ
１４，２４    表示部
１５，２３    記憶部
１６，２６    通信部
１７  音声入出力部
１８，２８    バス
２０   携帯端末
２１   制御部
２２   入力部
２５   送受話部
２７   ＧＰＳ部
【図１】
2008250452.tif 000003
【図２】
2008250452.tif 000004
【図３】
2008250452.tif 000005
【図４】
2008250452.tif 000006
【図５】
2008250452.tif 000007